Podtech/llm-jp-corpus-v4-ja_patent huggingface dataset:
(57)【要約】      （修正有）【課題】筋力低下、あるいは疾病により、スプーンで食事をする時に、手、指に力が入らなくなると食材をすくい取ることが困難になります。食材をすくうことなく食事が出来る介護皿スプーンを提供する。【解決手段】介護皿スプーン本体の底４と開口部１を平らにし、盛った食材が落ちないように開口部から柄５までに徐々に縁の高さを設け、スプーンの柄は直角に立て、輪に指を入れて持ちやすくするため持ち手７を設けた。【選択図】図１
2015128556.tif 000002
【特許請求の範囲】
【請求項１】
介護皿スプーン本体の底と開口部の底を平らにし、盛った食材が落ちないように開口部から柄までに徐々に縁の高さを設け、スプーンの柄は直角に立て、輪に指を入れて持ちやすくするため持ち手を設けた介護皿スプーン。
【発明の詳細な説明】
【技術分野】
【０００１】  本発明は、箸での食事が困難になりスプーンを使用するが、スプーンで食事をすくい取る事が困難になって来た方に関するものである。
【背景技術】
【０００２】  スプーンでの食事も困難になると食事を介助する方が、スプーンですくい取り上げて食事をする方は、食べさてもらうか、すくってもらったスプーンの柄を自分で持ち上げ食事をしていた。スプーンの柄の一端に台を設け、反対端のカップに近い柄に、カップが水平に保てるよう曲がった部分を設けた台付き介護スプーン（特許文献１）が知られている。
【先行技術文献】
【特許文献】
【０００３】
【特許文献１】特開２００６−１９２２３７号公報
【発明の概要】
【発明が開発しようとする課題】
【０００４】  筋力、握力低下、あるいは疾病により、スプーンで食事をする時に、手、指に力が入らなくなると食材をすくい取る事が困難になり、それに伴い食欲も進まなくなり、食事の楽しみがなくなってしまう等の問題が生じている。
【課題を解決する為の手段】
【０００５】  介護皿スプーン本体の底と開口部を平らにし、盛った食材が落ちないように開口部から柄までに徐々に縁の高さを設け、スプーンの柄は直角に立て、輪に指を入れて持ちやすくするため、持ち手を設けた介護皿スプーン。
【発明の効果】
【０００６】  あらかじめスプーンに、食材を盛ってあげることにより、すくう煩わしさがなく食事がスムーズに進み、再び食べる喜びを得ることになり食欲が出て、元気になっている。
本発明は、介助する方の食事介助の負担も軽減される。
【図面の簡単な説明】
【０００７】
【図１】本発明の斜視図
【図２】本発明の使用状態示す斜視図
【発明の実施するための形態】
【０００８】  以下、本発明の実施の形態を説明する。
（イ）一口介護皿スプーン本体（８）の底（４）と開口部（１）を平らにする。開口部の役割は食事をすくったりする入口と口の中に入れる際の出口である。
（ロ）一口介護皿スプーン本体（８）の縁（２）から縁（３）にかけ徐々に縁を上げ、食材を盛った時に縁から食材が落ちないようにする。
（ハ）一口介護スプーン本体（８）の底（４）に対し柄（５）は、直角に立ち上げる。
（二）持ち手（７）を輪にする事によって、筋力、握力低下があっても指（９）を輪（６）に入れ口に運びやすくした。
本発明は、以上のような構造である。
本発明を使用する時は、一口の食事量はスプーン一杯分が適量と言われていますので介護する方は、あらかじめ一口分の食材（１０）を介護皿スプーン本体（８）の底（４）に盛っておきます。筋力、握力低下により食材をすくい取ることが困難になった介護者は、持ち手（７）の輪（６）に指（９）を入れ持ち上げ、開口部（１）から口に食材（１０）を運び食事をスムーズに楽しむことができる。
【符号の説明】
【０００９】１開口部、２縁、３縁、４底、５柄、６輪、７持ち手、８一口介護皿スプーン本体、９手、指、１０食材
【図１】
2015128556.tif 000003
【図２】
2015128556.tif 000004
(57)【要約】【課題】ヘッドホン装着時の装着性、快適性、の向上を提供する。【解決手段】既存のヘッドホンベルト内側中央のヘッドパッド部に本発明の指先形態のヘッドホンパッドセットを取り付けることを以て上記課題を解決した。【選択図】図１
2015128272.tif 000002
【特許請求の範囲】
【請求項１】
指先形態のヘッドパッド。
【請求項２】
着脱可能とした指先形態のヘッドパッドとヘッドパッドベース。
【請求項３】
既存のヘッドホンバンドにヘッドパッドセットを取り付け可能としたヘッドパッドシート板。
【請求項４】
応用例のヘッドホンバンドとヘッドパッドベースを一体化したヘッドホンバンド。
【発明の詳細な説明】
【技術分野】
【０００１】  本発明は既製品のヘッドホンバンド内側中央部のヘッドパッド部に、後付け可能としたヘッドパッドセットに関するものである。
【背景技術】
【０００２】  従来のヘッドホンパッドはヘッドホンベルト内側中央部にウレタンフォーム等のクッション材にソフトレザーを被覆させたパッドを頭頂部に対し広範囲に覆う形態が多く装着時はヘッドホン本体を頭頂部に乗せた状態で使用するのが一般的である。
【先行技術文献】
【０００３】
【非特許文献１】「ソニー株式会社ヘッドホンカタログ２０１３号Ｐ４，５，４６」
【発明の開示】
【発明が解決しようとする課題】
【０００４】  従来のヘッドホンバンドは装着時にヘッドパッド部が頭頂部を広範囲に当接するため押圧力が集中し圧迫感が長時間の使用に苦痛である。さらに頭頂部とヘッドパッドが密着状態となり頭皮への蒸れを発生させ不快である。又、髪型の重要ポイントである頭頂部のボリュームを失わせ髪型を崩す原因となる。本発明はこれらの問題点を解決するためになされたものである。
【課題を解決するための手段】
【０００５】  本発明の指先形態を特徴としたヘッドパッド、ヘッドパッドベース、取り付けシート板、から構成したヘッドパッドセットを、既存のヘッドホンバンド内側中央部のヘッドパッド部に本発明のヘッドパッドセットを取り付けすることを似って上記課題を解決した。
【発明の効果】
【０００６】  本発明の指先形態のヘッドパッドセットを、既存のヘッドホンバンド内側中央部に取り付けたことによって、ヘッドホンバンドと頭頂部の間に空間を作り出した。その結果、頭皮、頭毛への干渉を最小減とした。又、ヘッドパッドを二本としたことで頭頂部への押圧力が分散され圧迫感を軽減すると共に装着性を向上した。その結果、不快な頭皮の蒸れ、髪型の崩れを防ぐ効果があり、長時間快適に装着することが楽にできる。
【図面の簡単な説明】
【０００７】
【図１】  本発明の斜視図
【図２】  本発明の側面図
【図３】  本発明のヘッドパッドとヘッドパッドベースの着脱状態の断面図
【図４】  本発明の平面図
【図５】  本発明の平面図の透視図
【図６】  本発明の使用状態の正面図
【図７】  従来の使用状態の正面図
【図８】  本発明の応用例の要部斜視図
【図９】  本発明の応用例の側面の要部断面図
【発明を実施するための形態】
【０００８】以下、本発明の実施の形態を説明する。
【０００９】図１に示すように本発明に係るヘッドパッドセットは、ヘッドパッド１、ヘッドパッドベース２、取り付けシート板３、の三種類の部品を構成したものである。
【００１０】図１に示すようにヘッドパッド１は、ソフトシリコン等のクション材を用い人間の指先形態を特徴とした先端部がドーム状の円柱形態である。ヘッドホン装着時にはヘッドホンバンドと頭頂部の間にヘッドパッド１の長さに応じた空間を作りだす。
【００１１】図１、６に示すようにヘッドパッド（１）は、装着時に頭頂部への圧迫感（押圧力）を最小にするため２本使用し先端部分をドーム形態とした。
【００１２】図３に示すようにヘッドパッド１、ヘッドパッドベース２は着脱可能な形態とした。従って、ヘッドパッド１は使用条件によって形態の異なる他のヘッドパッドと交換が可能である。
【００１３】図６に示すように取り付けシート板３は、ヘッドパッドベース２にヘッドパッド１を装着したものを既存のヘッドホンバンド内側中央部のパッド部に取り付けるためのものであり、ポリエチレンン等の適度な柔軟性、伸縮性、弾力性を有する材とし既存のヘッドパッド部の形態に沿って可変する形態である。その結果、多様な形態のヘッドホンバンド、及び、ヘッドパッド部に取り付けが可能である。
【００１４】図８に示すように応用例のヘッドホンバンドとヘッドパッドベース２を一体化したヘッドホンバンド４ａである。
【００１５】図９に示すように応用例のヘッドホンバンド４ａとヘッドパッド１は、他のヘッドパッドと交換が可能である。
【産業上の利用可能性】
【００１６】本発明は以上の構成からなるので本発明を使用する時は、既製品のヘッドホンバンド内側中央部に本発明のヘッドパッドセットを取り付けるだけで簡単に使用ができる。
【符号の説明】
【００１７】１ヘッドパッド
２ヘッドパッドベース
３取り付けシート板
４ヘッドホンバンド
５ヘッドホンバンドとヘッドパッドベース２を一体化したヘッドホンバンド
【図１】
2015128272.tif 000003
【図２】
2015128272.tif 000004
【図３】
2015128272.tif 000005
【図４】
2015128272.tif 000006
【図５】
2015128272.tif 000007
【図６】
2015128272.tif 000008
【図７】
2015128272.tif 000009
【図８】
2015128272.tif 000010
【図９】
2015128272.tif 000011
(57)【要約】【課題】  スマートフォンを持ちやすくするホルダーを提供する。【解決手段】  合成ゴム等弾性素材を円形板等に成型したベース部を設け、その外周に同素材でリング状に、ベース部と分離して成型した指通し部を設け、その指通し部の一部をベース部と分離せず一体のままとした指通しベース部を設け、裏面側のベース部と指通しベース部に接着部を設けたことを特徴とするスマートフォンホルダー。【選択図】図１
2015128273.tif 000002
【特許請求の範囲】
【請求項１】
合成ゴム等弾性素材を円形板等に成型したベース部を設け、その外周に同素材でリング状に、ベース部と分離して成型した指通し部を設け、その指通し部の一部をベース部と分離せず一体のままとした指通しベース部を設け、裏面側のベース部と指通しベース部に接着部を設けたことを特徴とするスマートフォンホルダー。
【発明の詳細な説明】
【技術分野】
【０００１】  この発明は、スマートフォンを持ちやすくするホルダーに関するものである。
【背景技術】
【０００２】  従来は、スマートフォンの裏面に貼り付ける硬質素材ホルダーで、リングに指を通してスマートフォンを保持するものがあった。
【発明の開示】
【発明が解決しようとする課題】
【０００３】  これには、次のような問題点があった。
（イ）  硬質素材で厚みがあるため、そのままポケットやケースに入れたりする時に出し入れしづらさ、壊れやすさがあった。
（ロ）  硬質素材のため、指のサイズによっては長時間の保持に馴染まないことがあった。
本発明は、これらの問題点を除くためになされたものである。
【課題を解決するための手段】
【０００４】  合成ゴム等弾性素材を円形板等に成型したベース部を設け、その外周に同素材でリング状に、ベース部と分離して成型した指通し部を設け、その指通し部の一部をベース部と分離せず一体のままとした指通しベース部を設け、裏面側のベース部と指通しベース部に接着部を設ける。
本発明は、以上の構成よりなるスマートフォン用ホルダーである。
【発明の効果】
【０００５】  スマートフォンの裏面にスマートフォンホルダーを貼り、指通し部に人差し指か中指を通せば、その指を基にスマートフォンの画面が縦横自在に動かせ、掴み損ねの落下を防げる。
個人差のある指の大きさによる馴染みの悪さも、弾性素材のためほぼ解消できる。また、シートの厚み以上に出っ張る部分がないのでポケットやケースにスムーズに収まるし壊れにくい。
【図面の簡単な説明】
【０００６】
【図１】本発明の構成を示す裏面平面図
【図２】本発明の実施を示す斜視図
【発明を実施するための最良の形態】
【０００７】  以下、本発明の実施の形態について説明する。
合成ゴム等弾性素材を円形板等に成型した（１）ベース部を設け、その外周に同素材でリング状にベース部と分離して成型した（２）指通し部を設け、その指通し部の一部をベース部と分離せず一体のままとした（３）指通しベース部を設け、裏面側のベース部と指通しベース部に（４）接着部を設ける。
本発明は、以上のような構成で、これを使用するときは、一般的にスマートフォン縦画面で左下方向に（３）指通しベース部が向くようにスマートフォンの裏面中央付近に（４）接着部を貼り付ける。（２）指通し部に人差し指か中指を通せば、その指を基にスマートフォンの画面が縦横自在に動かせ、掴み損ね等の落下を防げる。
【符号の説明】
【０００８】１  ベース部
２  指通し部
３  指通しベース部
４  接着部
【図１】
2015128273.tif 000003
【図２】
2015128273.tif 000004
(57)【要約】      （修正有）【課題】スライド式卓上電動丸鋸または卓上電動丸鋸によって、例えば３０ｃｍ以上の少し長いワークを切断する場合に、丸鋸刃の切断面に合わせるべき切断線を都度ワークの切断位置に書く必要をなくす。【解決手段】切断材料を水平に押しつける金属板に、切断長さを測るためのバネリール式メジャーｂの先端金具が引っかかるようにした溝または切れ目ａを入れ、バネリール式メジャーの先端金具をその溝または切れ目に引っかけ伸ばすことにより、線を引くことなく正確に簡単に切断できる。【選択図】図５
2015128890.tif 000002
【特許請求の範囲】
【請求項１】
丸鋸刃面から任意の位置に、ｅで示す、切断材料を水平に押しつける金属板に、溝または切れ目を入れたスライド式卓上電動丸鋸、または卓上電動丸鋸。その上、その任意の位置の  長さを原点とするバネリール式メジャー。
【請求項２】
丸鋸刃面から１０．０ｃｍまたは２０．０ｃｍに、バネリール式メジャーの先端の金具が引っかかるようにした溝や切れ目が、ｅで示す、切断材料を水平に押しつける金属板についたスライド式卓上電動丸鋸または、卓上電動丸鋸。
【請求項３】
ｅで示す、切断材料を水平に押しつける金属板にバネリール式メジャーの目盛テープがついたスライド式卓上電動丸鋸または、卓上電動丸鋸。
【発明の詳細な説明】
【技術分野】
【０００１】  本発明は、材料の測定目盛において、丸鋸刃面から値ａｃｍをとり、その箇所にメジャーの先端の金具を引っかける溝または切り目をつくり、同じく値ａｃｍを原点とするバネリール式メジャーを用いてより正確に材料の寸法を測ることのできる、卓上電動丸鋸（スライド式卓上電動丸鋸）、及び、目盛部分にバネリール式メジャーがくっついているスライド式卓上電動丸鋸（または、卓上電動丸鋸）である。値ａは、測定上、最も一般的に使われている１０．０ｃｍや２０．０ｃｍとする。
【背景技術】
【０００２】  これより記述する説明におけるスライド式卓上電動丸鋸や、卓上電動丸鋸の一部の機種を［図０１］や［図０２］で示す。下記の説明は、［図０２］の右端のスライド式卓上電動丸鋸の機種を使う。【０００３】  角柱を３０．０ｃｍで切断する場合。
例えば、従来の卓上電動丸鋸で３０．０ｃｍの角材（角柱）を切断する場合、３０．０ｃｍを測定した線に、丸鋸歯を当て、丸鋸歯と前述の線が重なるように切断する（［図０３］参照）。
又は、切断面を明示するレザー光線を照射してから切断する。このメーカーの場合、レザー光線の中央が切断面である（［図０４］参照）。
この場合、どちらも、線を書いて丸鋸刃を当てたり、レザー光線の何処の部分（左端面、中央、右端面）が切断面か考えながら切断する必要がある。どちらにしろ、測定した３０．０ｃｍの箇所に線か印を付けなければならないのである。
【発明の概要】
【発明が解決しようとする課題】
【０００４】  ［０００３］には次のような欠点があった。
（イ）従来、角材（角柱）を切る場合、［図０３］で説明すると、目盛の存在する２４ｃｍまでは、切断しようとする寸法の目盛に切断する材料を合わせ、左端を切断すれば簡単かつ正確に切断出来た。
しかし、存在する目盛以上の長さを切断しようとした場合、［０００４］で示したように切断面に線を書き込まなければならない。もし目盛が、数ｍでもあれば、切断部位の右端を目盛の部位に合わせ切断すればよい。
しかし、曲がらない目盛をその長さまで伸ばせば持ち運びに不便であり、破損の可能性を考慮すると、そのような目盛を持つ卓上電動丸鋸やスライド式卓上電動丸鋸をつくることは不可能といえる。
そこで、例えば、１０．０ｃｍに溝や切れ目を入れ、そこに１０．０ｃｍを原点とリール式バネメジャーの先端の金具を引っかけてで測定すれば上記の問題が解決できると考えた（［図０５］、［図０６］、［図０７］参照）。または、目盛として、リール式バネメジャーがくっついていて、それを利用して切断面を測定するスライド式卓上電動丸鋸を考案する（［図９］を参照）。
【発明の効果】
【０００６】  従来のスライド式卓上電動丸鋸や卓上電動丸鋸では、切断物の測定に厳密なる正確さが求められなかった。この発明は、切断面に線や印等をつけることによって生まれる誤差を無くし、値ａを基準とした測定によって、より測定の正確さを求めることができる。
【図面の簡単な説明】
【０００７】
【図１】  卓上電動丸鋸２機種。
【図２】  スライド式卓上電動丸鋸２機種。
【図３】  丸鋸刃を当てて、角柱を３０．０ｃｍの長さに切ろうとしている図。
【図４】  切断面を明示するレザー光線を照射して、角柱を３０．０ｃｍの長さに切ろうとしている図。
【図５】  本考案のメモリ部分を刻み目を入れ、その刻み目寸法から始まるバネリール式メジャー。
【図６】  １０．０ｃｍの刻み目と１０．０ｃｍを原点とするバネリール式メジャーを並べた図。
【図７】  本考案のメモリ部分に刻み目入れたスライド式卓上電動丸鋸（または、卓上電動丸鋸）と刻み目を原点とするバネリール式メジャーで長さを測ろうとする図。
【図８】  本考案のスライド式卓上電動丸鋸（または、卓上電動丸鋸）を前方斜め上から見た図。
【図９】  ｅに示す部分にバネリール式メジャーの目盛部分を固定したスライド式卓上電動丸鋸または、卓上電動丸鋸。
【符号の説明】
【０００８】ａ．１０．０ｃｍの切れ目でスライド式卓上電動丸鋸（または、卓上電動丸鋸）の本体の目盛部分に丸鋸切断刃面から１０．０ｃｍに入れた刻み目。
ｂ．原点が１０．０ｃｍから始まるバネリール式メジャー。
ｃ．原点が１０．０ｃｍから始まる目盛。
ｄ．取り外しが出来ないバネリール式メジャー。
ｅ．材料を水平に押しつける金属板。
ｈ．リール式メジャー。
ｉ．リール式メジャーの目盛テープ。
【図１】
2015128890.tif 000003
【図２】
2015128890.tif 000004
【図３】
2015128890.tif 000005
【図４】
2015128890.tif 000006
【図５】
2015128890.tif 000007
【図６】
2015128890.tif 000008
【図７】
2015128890.tif 000009
【図８】
2015128890.tif 000010
【図９】
2015128890.tif 000011
(57)【要約】【課題】  本発明は防火地域（準防火地域も含む）にて使用することができる木造組物の不燃化工法を得ることにある。【解決手段】  板状の不燃材と漆喰塗を併用して木造組物を覆うことで、木造組物の不燃化工法を構成している。【選択図】      図１
2015128867.tif 000002
【特許請求の範囲】
【請求項１】
板状の不燃材と漆喰塗を併用して成る木造組物の不燃化工法。
【発明の詳細な説明】
【技術分野】
【０００１】
本発明は、木造組物の不燃化工法に関する。
【背景技術】
【０００２】
木造社寺建築では昔より（千数百年前より）、柱頭に図２に示すような組物（くみもの）を組んで深い軒を支える構造が伝承されてきた。又は、力学的に必要無くても社寺建築の重要な意匠として伝承されてきた。しかし戦後、建築基準法が制定され「防火地域」内に建築しようとする社寺建築では、可燃である木造組物は許可されていない。木造組物でも不燃化した組物が求められている。
【０００３】
近年「不燃木」が開発されている。文字通り木材に薬液を含浸させた燃えない木材であり、この不燃木を素材として組物を造れば不燃の木造組物ができる。しかし、木材を不燃化処理するには多額の費用がかかりコスト面で採算が難しいという欠点があった。
【０００４】
鉄筋コンクリート造組物は今までに造られてきた。しかし建物本体が鉄筋コンクリート造であれば適用出来るが、建物本体が木造、もしくは意匠上木造であれば、鉄筋コンクリート造組物は構造力学上本体と遊離したものとなり適用できない。ＧＲＣ(ガラス繊維強化コンクリート)の組物もあるが、この場合も同じである。
【先行技術文献】
【特許文献】
【０００５】
【特許文献１】特開2006-231652号公報
【非特許文献】
【０００６】
【非特許文献１】難燃化処理木材の開発（第1報），岩手林技セ研報 No.7 1997 ，P.61〜66
【非特許文献２】難燃化処理木材の開発（第2報），岩手林技セ研報 No.8 1999， P.1〜7
【発明の概要】
【発明が解決しようとする課題】
【０００７】
前記図2に示す組物1は、図３に示すように斗2肘木3から構成されており、数が多いのが通例で、少し複雑な組物ともなれば社寺建築物1棟に、何百、何千も必要となってくる。この様な組物を不燃材で造ろうとすると、組物の素材である不燃木が素材のどの部分を取っても皆一様に不燃化させる薬液を含浸させることが難しい。又、不燃化木材自体を作るのに、木材を特殊な釜に入れて薬液を木材に浸透させるのであるが、容量が小さいため、多くの材を不燃化するのに時間がかかり、コストも高いものになってしまうという課題がある。
【０００８】
本発明は、以上のような従来の欠点に鑑み、製作手間をかけず、値段が安く、工期が長くならない木造組物の不燃化工法を提供する事を目的としている。
【課題を解決するための手段】
【０００９】
上記目的を達成するために、本発明は、板状の不燃材と漆喰塗を併用することで木造組物の不燃化工法を構成している。  
【発明の効果】
【００１０】
以上の説明から明らかなように、本発明にあっては板状の不燃材と漆喰塗を併用することで木造組物の不燃化を構成しているため、従来の組物作製と同じように事前処理及び事前組み立てが出来、木材の不燃化処理を外部へ依頼する必要無く、木造組物に少しの材料と施工手間をかけるのみで、従来通りの木造組物と同程度の精度と量産を可能にするという効果が得られる。
したがって、防火的見地から木造組物が規制されている地域においても、廉価に不燃化された木造組物を造れるようになる。 
【図面の簡単な説明】
【００１１】
【図１】本発明の組物を構成する斗と肘木の部品図
【図２】社寺建築に設置された組物を示す外観斜視図
【図３】組物を構成する部品を示す立面図
【発明を実施するための形態】
【００１２】
以下、本発明の実施の形態を図に基づいて説明する。
【実施例１】
【００１３】
図１は、本発明の組物を構成する斗と肘木の部品図で、いずれも平面と曲面からなる。
【００１４】
この組物の平らな部分には板状不燃材４を貼り付ける。貼り付けるには接着剤とビス釘を併用する。曲面の部分には漆喰５を塗る。
【００１５】
下地となる木造組物を、仕上材である不燃材及び漆喰塗の厚み分だけ小さくした寸法で造る。この木造組物は現在専用加工機械で量産可能となっている。
【００１６】
不燃材(板状)の成形も下地材の木造組物のデーターを利用し、同じ専用加工機により容易に量産できる。
【００１７】
下地の木造組物の曲面に漆喰を鏝で塗るのであるが、木造組物に貼られた不燃材の端が漆喰塗の塗厚分だけ下地より出ているため、これをガイドラインとして鏝で容易に所定の厚みの塗厚に仕上げることができる。
【産業上の利用可能性】
【００１８】
本発明は、不燃化の木造組物を製造する産業で利用される。
つまり、防火性能が要求される防火、準防火地域でも木造組物を使うことができる。
【符号の説明】
【００１９】
1  組物
2  斗
3  肘木
4  不燃材
5  漆喰
6  木 
【図１】
2015128867.tif 000003
【図２】
2015128867.tif 000004
【図３】
2015128867.tif 000005
(57)【要約】      （修正有）【課題】車を運転していて日差しがまぶしくサンバイザーを使うとき使いやすいようにする。【解決手段】車のサンバイザー１をスライド式にして、電動でスライドさせるスイッチ３を設け、電動式で手元スイッチ３で作動させるサンバイザー１とする。【選択図】図１
2015128979.tif 000002
【特許請求の範囲】
【請求項１】
車のサンバイザー（１）をスライド式（２）にして電動で動かすスイッチ（３）を設けたスライド式電動サンバイザー。
【発明の詳細な説明】
【技術分野】
【０００１】  この発明は、車のサンバイザー部分を電動にし、運転中日差しがまぶしいとき使う電動式サンバイザーに関するものである。
【背景技術】
【０００２】  従来、サンバイザーは手で動かして使うようになっていた。
【先行技術文献】
【特許文献】
【０００３】
【特許文献１】
【発明の概要】
【発明が解決しようとする課題】  これは、次のような欠点があった。【０００４】  従来、車を運転していて日差しがまぶしいときサンバイザーをつかっているが助手席側、斜め方向からの日差しがまぶしいときがある。運転中助手席側サンバイザーを使うことができず前方がみにくく、困ることが多かった。本発明は以上のような欠点をなくすためになされたものである。
【課題を解決するための手段】
【０００５】  車のサンバイザー（１）をスライド式（２）にして電動で動かすスイッチ（３）を設ける。
本発明は、以上の構成よりなる電動式サンバイザーである。
【発明の効果】
【０００６】  車のサンバイザーが電動で動くので運転中手元スイッチで簡単にサンバイザーを使うことができ、安全運転に役立つ。
【図面の簡単な説明】
【０００７】
【図１】  本発明の斜視図である
【図２】  本発明の断面図である
【発明を実施するための形態】
【０００８】  以下、本発明を実施するための形態について説明します。
車のサンバイザー（１）の天井部一端にスライド式サンバイザー（２）を設ける、それを電動で動かすスイッチ（３）で運転中でも操作して使える。
本発明は以上のような構造である。
これを使用するときは電動式なので助手席側からの日差しがまぶしいとき使える。
【符号の説明】
【０００９】１．車のサンバイザー
２．スライド式
３．電動スイッチ
【図１】
2015128979.tif 000003
【図２】
2015128979.tif 000004
(57)【要約】      （修正有）【課題】野菜や果樹類の畑に於いて、鳥類による被害を無くすため、従来の防除方法では解決できなかった鳥類の慣れに対応した防除具を提供する。【解決手段】ＣＤ円板１の両面外周円端部に、磁石２を複数略等間隔に配列固定した鳥類防除用磁石付き円板。【選択図】図１
2015128404.tif 000002
【特許請求の範囲】
【請求項１】
ＣＤ円板の両面外周円端部に、磁石を複数略等間隔に配列固定した鳥類防除用磁石付き円板。
【発明の詳細な説明】
【技術分野】
【０００１】  本発明は農地等に於ける鳥類防除に関するものである。
【背景技術】
【０００２】  鳥類と獣類を併せて防除する対象する技術として特許文献１のこの方式は円板の中央にネオジム磁石を一個装着して、蓄光発光と反射に重点を置いているのが知られている。
【先行技術文献】
【特許文献】
【０００３】
【特許文献１】  特開２００９−２０７４１１号公報
【０００４】
【発明の概要】
【発明が解決しようとする課題】
【０００５】  本発明は果樹園と野菜畑に飛来する鳥類等を防除する方法は色々提案されている。大掛かりな装置では小規模での果樹園や野菜畑での採用では費用が掛かり困難である。又ＣＤを吊る下げて防除する方法が一般的ではあったが、取り付けた場合、時間経過と伴に防除する鳥類が慣れて来て効果が無くなってきてしまうのが現状であった。
又、特許文献１では獣類を対象にしているので、対象の防除が異なっている。更に構造上では磁石を中央に取り付けているだけなので、磁場が弱く防除効果が疑問であった。
【課題を解決するための手段】
【０００６】  ＣＤ円板の両面外周円端部に、磁石を複数略等間隔に配列固定した鳥類防除用磁石付き円板。
【発明の効果】
【０００７】  本発明により従来の防除方法では解決できなかった鳥類の慣れに対応することが出来るようになった。それはＣＤによる光の反射光と磁石を複数配列することによって、設置したＣＤの周囲に強い磁場を発生させて、鳥類特有の方向探知神経を磁場によって狂わせることによって、果樹や農作物等に鳥類が近づかないので、簡単な構造で防除が可能と成った。このことによって、畑に蒔いた種子を餌にされたり、トウモロコシや林檎等の農作物が傷つれけられなくなり、農家の収入を増やすことが出来る。又、このほか鉄道の駅舎や学校の花壇、プールの鳥の糞害を防止出来る等の効果が生じる。
【図面の簡単な説明】
【０００８】
【図１】本発明の正面図
【図２】本発明の側面図
【図３】本発明を吊る下げた使用状態図
【図４】本発明を棒状のものに固定した使用状態図
【図５】本発明をロープに結束した使用状態図
【発明を実施するための形態】
【０００９】  以下、本発明の実施の形態を説明する。
（イ）音楽の録音用に用いるＣＤ円板（１）の表面（６）と裏面（７）の両面の円周端部に一実施例とし図１、図５に示すように片面に８個の磁石（２）を略等間隔に配列して設けてある。図２に示すように取付けられた磁石（２）の磁力が外に放射線状に成るように固定されている。
（ロ）図３、図４では他の実施例として６個の磁石（２）を略等間隔に配列して設けてあるので、両面に取り付けた１２個の磁力が外周に向かって放射線状に磁場を形成する。
（ハ）磁石（２）はネオジム磁石を一実施例として用いているが、より強力な磁場を形成するものであれば更に良い。
（ニ）円板（１）には取付け状態に対応して夫々の固定用取付け穴を設けてある。その中央には固定用穴（４）、上部には吊り下げ用の紐穴（３）と強風時の対応として結束穴（５）が設けられている。
本発明は、以上のような構造である。
本発明を使用するときは、図３のようにロープ（９）に吊り下げる場合はＣＤ円板（１）の上部の吊り下げ用の紐穴（３）に紐（８）を通して吊り下げて使用すると、鳥類が農作物に近づいて来ると、ＣＤ円板（１）による光の反射光と磁石を複数配列したことによって、ＣＤ円板（１）の周囲に強い磁場を発生させて、鳥類特有の方向探知神経を磁場によって狂わせることによって、果樹や農作物等に鳥類を近づけさせない。その時、農作物等の耕作面積によって適宜に多数のＣＤ円板（１）を配置させる。
農作物等の状況により、図３に示したようにロープ（９）を張り巡らせて、そこに紐（８）で吊り下げるやり方や、図４に示すように棒（１０）の固定用穴（４）に固定金具（１２）にて固定するやり方もある。更に、強風対策として図５に示すように、ロープ（９）と結束穴（５）と紐（８）で固定することによって強風対策にも万全の策が講じられている。
【符号の説明】
【００１０】１ＣＤ円板、２磁石、３吊り下げ用の紐穴、４固定用穴、５結束穴、６表面、
７裏面、８紐、９ロープ、１０棒、１２固定金具
【図１】
2015128404.tif 000003
【図２】
2015128404.tif 000004
【図３】
2015128404.tif 000005
【図４】
2015128404.tif 000006
【図５】
2015128404.tif 000007
(57)【要約】      （修正有）【課題】暗いところでも物をさがす事ができ、又暗い所をフイラメントのあかりで自在に歩くことが出来るフィラメント付きボールペンを提供する。【解決手段】普通のボールペンにペンライトを合体し、ボールペンプッシュ１、ボールペンＯＦＦ２、フィラメントＯＮ・ＯＦＦ３、ボタン型電池４、フイラメント５、およびボールペン本体６で構成した。【選択図】図３
2015020432.tif 000002
【特許請求の範囲】
【請求項１】
（１）ボールペンプッシュに（２）のボールペンＯＦＦを設け、（３）のフイラメントＯＮ・ＯＦＦに（４）のボタン型電池を設けた。普通のボールペンにペンライトを合体しました。
日本国中
【発明の詳細な説明】
【技術分野】
【０００１】
【背景技術】
【０００２】ボールペンだけとは異なりフイラメントを装備することにより暗いところでも物をさがす事ができ、又くらい所をこのフイラメントのあかりで自在に歩くことが出来ます。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【・・・・】
ボールペンの液もれ防止フイラメントを装備した事は新しい発見であります。
【課題を解決するための手段】
【・・・・】
小型のボタン電池を使用し、暗やみの小道を歩くことも可能です。
【発明の効果】
【・・・・】
ボールペンの液もれ防止及びペンライト風の品が出来た。
うす暗いところでもペンをはこぶことができます。
【図面の簡単な説明】
【・・・・】
【図１】
平面図
【図２】
側面図
【図３】
正面図
【発明を実施するための形態】
【・・・・】
いつも何げなくボールペンを見たり使用したりして居たがある時、改良のよちがあるのに気付きました。
【実施例】
【・・・・】
【産業上の利用可能性】
【・・・・】
ただのボールペンではなく、ペンライト付きのボールペンで有る。
【符号の説明】
【・・・・】
（１）ボールペンプッシュ（２）ボールペンＯＦＦ（３）フイラメントＯＮ・ＯＦＦ（４）ボタン電池（５）フイラメント（６）ボールペン本体
【受託番号】
【・・・・】
【図１】
2015020432.tif 000003
【図２】
2015020432.tif 000004
【図３】
2015020432.tif 000005
(57)【要約】      （修正有）【課題】趣味性が高いケース入りメモ帳を提供する。【解決手段】メモ帳１の一部にケース２に収めた際にもケース２の外側から視認できるデザイン部４を設けたケース付きメモ帳。【選択図】図３
2015020430.tif 000002
【特許請求の範囲】
【請求項１】
メモ帳の一部にケースに収めた際にもケースの外側から視認できるデザイン部を設けたケース付きメモ帳。
【請求項２】
ケースの内部にメモの傾きを防止する為の、固定部を設けたことを特徴とする、請求項１記載のメモ帳のケース。
【発明の詳細な説明】
【技術分野】
【０００１】  本発明は、ケース入りメモ帳に関する。
【背景技術】
【０００２】  従来から一般的に知られているケース入りメモ帳としては、例えば図８に示すようなメモ帳が良く知られている。
【発明の概要】
【発明が解決しようとする課題】
【０００３】  しかし、従来のケース入りメモ帳のケースはメモ帳を保護する機能は有するものの趣味性に欠け、ケース入りメモ帳の使用者に退屈感を与えるものであった。
【課題を解決するための手段】
【０００４】  上記課題を解決する為に、本発明はメモ帳の一部にケースに収めた際にもケースの外側から視認できるメモデザイン部を設けたケース付きメモ帳を提供する。
【発明の効果】
【０００５】  本発明は上記の構成なので、ケースにメモ帳を収めた際にケースからメモ帳が飛び出した状態、またはケースからメモ帳の一部が視認できる状態となり、メモ帳単体のデザインやケース単体のデザインと異なったデザインとなり遊び心が付加されるだけでなく、デスクや部屋においた際に趣味性が高いケース入りメモを提供することができる。
【図面の簡単な説明】
【０００６】
【図１】  本発明の実施例１におけるメモ帳を示す斜視図である。
【０００７】
【図２】  本発明の実施例１におけるケースを示す斜視図である。
【０００８】
【図３】  本発明の実施例１におけるメモ帳とケースのセット状態を示す斜視図である。
【０００９】
【図４】  本発明の実施例１におけるメモ帳とケースのセット状態を示す断面図である。
【００１０】
【図５】  本発明の実施例２におけるメモ帳を示す斜視図である。
【００１１】
【図６】  本発明の実施例２におけるケースを示す斜視図である。
【００１２】
【図７】  本発明の実施例２におけるメモ帳とケースのセット状態を示す斜視図である。
【００１３】
【図８】  従来のケース入りメモ帳を示す図である。
【発明を実施するための形態】
【００１４】  以下は図１を用いた、本発明の実施例１のケース入りメモ帳のメモ帳１の形態についての説明である。
メモ帳１はメモ用紙を任意の枚数を束ね、ケース２に収めた際にケースの外側から視認できるデザイン部４を設ける。メモ帳１の形状はデザインに応じて例えば動物や種々のキャラクター（漫画の主人公等）であってもよい。
【００１５】  以下は図２を用いた、本発明の実施例１のケース入りメモ帳のケース２の形態についての説明である。
ケース２はメモ帳１を入れるために立体形状となっており、ケース２の任意の場所にメモ帳１を挿入する為の挿入口３を設ける。実施例１におけるケース２の形状は例えば、乗り物や建物であってもよいし、また樹木等であってもよい。
【００１６】  以下は図３を用いた、本発明の実施例１のケース入りメモ帳の形態についての説明である。
実施例１のケース入りメモ帳は、ケース２の挿入口３からメモ帳１を挿入して収める。ケース２からデザイン部４が出ている状態で収まる。
【００１７】  以下は図５を用いた、本発明の実施例２のケース入りメモ帳のメモ帳６の形態についての説明である。
メモ帳６はメモ用紙を任意の枚数を束ね、ケースに収めた際にケースの外側から視認できるデザイン部４を設ける。メモ帳６の形状はデザインに応じて例えば動物や種々のキャラクター（漫画の主人公等）であってもよい。
【００１８】  以下は図６を用いた、本発明の実施例２のケース入りメモ帳のケース７の形態についての説明である。
ケース７はメモ帳６を入れるために立体形状となっており、ケースの任意の場所にメモ帳６を挿入する為の挿入口３を設ける。またメモ帳６をケース７に収めた際にケース７の正面からメモ帳６のデザイン部４を視認できる視認部５を設ける。実施例２におけるケース７の形状は例えば、乗り物や建物であってもよいし、また樹木等であってもよい。
【００１９】  以下は図７を用いた、本発明の実施例２のケース入りメモ帳の形態についての説明である。
実施例２のケース入りメモ帳は、ケース７の挿入口３からメモ帳６を挿入して収める。視認部５はケース７の正面に設けられ、ケース７の正面からデザイン部４が出ている状態で収まる。
【００２０】  以下は図４を用いた、本発明の実施例１及び実施例２のケース入りメモ帳のケースの形態についての説明である。
実施例１及び実施例２のケース入りメモ帳のケースは、メモ帳１をケース２に収めた際にメモ帳１が傾かないよう、内部にメモ帳を固定する為の固定部８を設ける。
【符号の説明】
【００２１】    １    メモ帳
２    ケース
３    挿入口
４    デザイン部
５    視認部
６    メモ帳
７    ケース
８    固定部
【図１】
2015020430.tif 000003
【図２】
2015020430.tif 000004
【図３】
2015020430.tif 000005
【図４】
2015020430.tif 000006
【図５】
2015020430.tif 000007
【図６】
2015020430.tif 000008
【図７】
2015020430.tif 000009
【図８】
2015020430.tif 000010
(57)【要約】【課題】    従来の、押出機の圧力だけで押し出す中空異形押出法では製品速度が遅い。また、高い圧力が必要で押出機の故障も多い。【解決手段】  引取機を設け、成型金型内の樹脂圧が一定になるように引取機の速度を自動で微調整することを特長とする。【選択図】図３
2015020429.tif 000002
【特許請求の範囲】
【請求項１】
樹脂の中空異形押出成型品の製造装置であって、成型金型に樹脂圧計を備え、その圧が一定になるように、引取速度を自動で微調整する制御装置と引取機を備えた製造装置。
【発明の詳細な説明】
【技術分野】
【０００１】本発明は樹脂の中空異形押出成型品の製造装置に関するものである。
【背景技術】
【０００２】  従来は押出機の圧力だけで、固化した成型品をローラーコンベアーの上に押し出していた。高い圧力を要し、製品の速度が遅く、押出機にも機械的無理が掛かり、生産性が悪かった。
【発明の概要】
【発明が解決しようとする課題】
【０００３】  従来の方法では金型内で固化させた異形品を押出機の高い圧力でローラーコンベアーの上に押し出していた。製品の速度が遅く、押出機の故障も多く、生産性が悪かった。
【問題を解決するための手段】
【０００４】  本発明は生産性を向上するため、鋭意研究し、以下の発明を提案するに至った。
請求項１の発明は、成型金型内の樹脂の圧力を測定し、これが一定になるように、新しく設けた引取機と制御装置で速度を微調整することを特長とする製造装置である。
【発明の効果】
【０００５】  一番の効果は製品速度のアップである。次に押出機の故障の減少、３番目に屑の減少、４番目に省力効果である。
【図面の簡単な説明】
【０００６】
【図１】  従来の製造装置の立面図である。
【図２】  中空異形品の一例の斜視図である。
【図３】  本発明の説明図の立面図である。
【発明を実施するための最良の形態】
【０００７】  以下に本発明の実施の形態を図面に基づき詳細に説明する。
図１を参照して、従来は押出機１で原料２を溶融、加圧し、成型金型３で製品５と同じ断面形状にし、冷却金型４で冷却固化し、樹脂の圧力だけでローラーコンベアー６の上に押出していた。【０００８】  図３を参照して、本発明では樹脂圧計１１、制御装置１３、引取機１５を新規に装備し、ローラーコンベアー６は撤去した。これらは信号用電線１２と制御用電線１４で結ばれている。
樹脂圧計１１は成型金型３に取付けて、ここの圧力が一定になるように制御装置１３により引取機１５の速度を微調整する。
制御装置１３はいわゆるＰＩ（比例、積分）の機能を持った調節計である。微分機能をも持ち合わせたＰＩＤ調節計でも良い。【０００９】  実施例では、樹脂圧１５ＭＰａ、で制御幅±０．５ＭＰａ、製品５の速度は従来の約２倍の毎分１．５ｍで安定した運転ができた。調節計はＰＩ（比例、積分）調節計を使用した。
製品５の幅は１２ｃｍ、高さは３ｃｍである。
【符号の説明】
【００１０】      １                押出機
２                原料
３                成型金型
４                冷却金型
５                製品
６                ローラーコンベアー
１１              樹脂圧計
１２              信号用電線
１３              制御装置
１４              制御用電線
１５              引取機
【図１】
2015020429.tif 000003
【図２】
2015020429.tif 000004
【図３】
2015020429.tif 000005
(57)【要約】      （修正有）【課題】ゴミ袋を在庫として収納する方法として、空間を消費せず、さらに種類別に分けることを可能とするゴミ袋収納を提供する。【解決手段】厚手のビニールでできた平坦な袋状の本体１側面にチャック２を設け、本体１天面に取り出し口３を設けてゴミ袋を収納する。使用するときは、チャック２を開けてたたんだビニール袋を本体１に収納し、取り出し口３から取り出す。複数用意することで、ゴミ袋を種類別に分け、収納しやすく、取り出しやすくする。【選択図】図１
2015020805.tif 000002
【特許請求の範囲】
【請求項１】
本体側面に補充口を設け、本体天面に取り出し口を設けたことを特徴とするゴミ袋収納。
【発明の詳細な説明】
【技術分野】
【０００１】  本発明は、ゴミ袋の収納に関するものである。
【背景技術】
【０００２】  従来、ゴミ袋を在庫として収納する方法は、巻かれた状態や小さく折りたたんだ状態で箱や袋に収納することだった。
【先行技術文献】
【特許文献】
【０００３】
【発明の概要】
【発明が解決しようとする課題】
【０００４】  これまでに、ゴミ袋を在庫として収納する方法は、巻かれた状態や小さく折りたたんだ状態で箱や袋に収納することであり、空間を消費する上に種類別に分けることが困難であった。
本発明は、以上の問題を解決するためのものである。
【課題を解決するための手段】
【０００５】  厚手のビニールでできた平坦な袋状の本体側面にチャックを設け、本体天面に取り出し口を設ける。
以上の構成よりなるゴミ袋収納。
【発明の効果】
【０００６】  本発明を複数用意することで、ゴミ袋を種類別に分け、収納しやすく、取り出しやすくなる。
【図面の簡単な説明】
【０００７】
【図１】本発明の斜視図
【発明を実施するための形態】
【０００８】  以下、本発明の実施の形態を説明する。
（イ）厚手のビニールでできた本体（１）の側面に、チャック（２）を設ける。
（ロ）本体（１）の天面に取り出し口（３）を設ける。
本発明は以上のような構造である。
本発明を使用するときは、チャック（２）を開けてたたんだビニール袋を本体（１）に収納し、チャックを閉めて、取り出し口（３）からビニール袋を取り出す。
【符号の説明】
【０００９】  １本体、２チャック、３取り出し口
【図１】
2015020805.tif 000003
(57)【要約】【課題】  一般家庭の多くは、レジ袋を市販のごみ箱に装着してごみ袋として使用しているが、ごみ箱の口径に合わないものは大部分が廃棄されることになる。  また、従来の発明品には、レジ袋の深さに応じてごみ箱の高さを調節できるタイプや、レジ袋をスタンドの突起部に引っ掛けてごみを収納するタイプなどが存在するが、いずれも装着できるレジ袋のサイズに制限がある。  従って本発明は、レジ袋のサイズに関係なく着脱できる構造を持つごみ箱の提供を目的とする。【解決手段】  本発明は、ごみ箱の口径の大きさを調節する構造とレジ袋がごみの重さでずり落ちないように固定するためのストッパーによって、レジ袋用フリーサイズごみ箱を構成する。【選択図】図２
2015020908.tif 000002
【特許請求の範囲】
【請求項１】
口径の大きさを調節する構造とレジ袋を固定するためのストッパーを具備することを特徴とするごみ箱。
【発明の詳細な説明】
【技術分野】
【０００１】  本発明は、レジ袋のサイズに合わせて、口径の大きさを調節できるごみ箱に関する。
【背景技術】
【０００２】  一般家庭では、レジ袋を市販のごみ箱に装着し、ごみ袋として利用することが多いが、ごみ箱の口径に合わないものは大部分が廃棄されることになる。
また、従来の発明品は、ごみ箱の高さを調節するタイプやレジ袋をスタンドの突起部に引っ掛けて、ごみを収納するタイプなどが存在するが、いずれも使用できるレジ袋のサイズに制限がある。
【先行技術文献】
【特許文献】
【０００３】
【特許文献１】  特開２００８−２３９３４２号公報
【特許文献２】  特開２０１０−２６０６５７号公報
【発明の概要】
【発明が解決しようとする課題】
【０００４】  解決しようとする問題点は、市販のごみ箱や先行技術文献に示すレジ袋用のごみ箱が、いずれも装着できるレジ袋のサイズに制限がある事である。
【課題を解決するための手段】
【０００５】  本発明は従来の欠点に鑑み、レジ袋のサイズに関係なく着脱できる構造を持つごみ箱の提供を目的とし、ごみ箱の口径の大きさを調節する構造とレジ袋がごみの重さでずり落ちないように固定するためのストッパーによって、レジ袋用フリーサイズごみ箱を構成することを最も主要な特徴とする。
【発明の効果】
【０００６】  以上の説明から明らかなように、本発明によって次に列挙する効果が得られる。
（１）従来は、レジ袋をごみ箱や専用スタンドに装着する場合、その規格に適合したサイズのレジ袋しか使用できなかったが、本発明のごみ箱は請求項１の要件によって構成されているので、多様なサイズのレジ袋を簡単に着脱することができる。【０００７】  （２）前記（１）によって、ごみがレジ袋に溜まった時は、レジ袋を取り外すだけで容易に地域指定の分別用ごみ袋に移すことができる。
また、ごみを詰め込み過ぎてレジ袋を取り出しにくい場合は、レジ袋の持ち手部を結んで、そのまま押し出すことができる。【０００８】  （３）家庭で溜まる多様なサイズのレジ袋を廃棄せずにごみ袋として利用できる。【０００９】  （４）レジ袋を装着しないごみ箱の場合は、溜まったごみを手づかみで取り出さなければならず、衛生面や煩わしさの問題があったが、本発明によってそれらを解消できる。
【図面の簡単な説明】
【００１０】
【図１】  フック式の留め構造によって胴体部を円筒状に固定し、ごみ箱を組み立てた状態の斜視図とストッパー
【図２】  図１の胴体部にレジ袋を装着し、ストッパーによってレジ袋を固定した状態の斜視図（実施例１）
【図３】  胴体部の展開図
【発明を実施するための形態】
【００１１】  以下、本発明の実施の形態を図面に基づいて説明する。
【実施例１】
【００１２】  図２は、ｆレジ袋のサイズにａ胴体の大きさを適合させるために、ｃフックを複数列配置したｄフック用の溝の一列に挿入してａ胴体の口径を調節後、ｆレジ袋を装着してｂ胴体の上縁部をｅストッパーで固定した状態のごみ箱。
【実施例２】
【００１３】  ａ胴体は様々な素材を使用可能だが、その材質や軟性、形状、厚みなどの要因で口径の調節構造はホック、ボタン、ベルト、或いは他の留め具を用いる場合がある。
【実施例３】
【００１４】  ａ胴体は、口径の可変自由度を大きくするための構造として、すだれ構造や蛇腹構造を用いる場合がある。
【実施例４】
【００１５】  ｅストッパーをｂ胴体の上縁部全体を覆う構造に変更し、縁からはみ出すｆレジ袋を見えなくすることで、ごみ箱としてのファッション性を向上できる。
【実施例５】
【００１６】  本発明の大部分を構成するａ胴体は、合成樹脂で一体成型することにより、製造コストを低減できる。
【実施例６】
【００１７】  ａ胴体の側面に描画や装飾を施すことで、ごみ箱にファンシーな意匠を付加できる。
【産業上の利用可能性】
【００１８】  本発明は、多様な大きさの容器を取り扱う産業分野で利用される可能性がある。
【符号の説明】
【００１９】ａ  胴体
ｂ  胴体の上縁部
ｃ  フック
ｄ  フック用の溝
ｅ  ストッパー
ｆ  レジ袋
【図１】
2015020908.tif 000003
【図２】
2015020908.tif 000004
【図３】
2015020908.tif 000005